(57)【要約】  ユーザの頭部の少なくとも一部を包み込み、頭部に面した内面（２ａ）を画定するのに適したヘルメット（２）と、作用面（２ａ）の周囲に沿って延びるマッサージバンド（３）と、作用面（２ａ）でヘルメットに固定されたマッサージブロック（４）と、マッサージバンド（３）とマッサージブロック（４）との間の相互間距離を変化させることによってマッサージバンド（３）およびマッサージブロック（４）の動きを制御するのに適している制御ユニット（５）とを備える頭蓋刺激装置（１）が提供される。
2021533894.tif 000002
【特許請求の範囲】
【請求項１】
ユーザの頭部の少なくとも一部を包み込み、前記頭部に面した内面を画定するのに適したヘルメットと、
前記内面の周囲に沿って延びるマッサージバンドと、
前記内面で前記ヘルメットに固定された少なくとも１つのマッサージブロックと、
前記マッサージバンドと前記マッサージブロックとの間の相互間距離を変化させることによって、前記マッサージバンドおよび前記マッサージブロックの動きを制御するのに適している制御ユニットと
を備える頭蓋刺激装置。
【請求項２】
等間隔で配置された複数の追加のマッサージ領域を画定するいくつかのマッサージブロックを備える、請求項１に記載の頭蓋刺激装置。
【請求項３】
前記制御ユニットは、前記複数の追加のマッサージ領域間の相互間距離を変化させることによって、前記マッサージブロックの動きを制御するのに適している、請求項２に記載の頭蓋刺激装置。
【請求項４】
前記マッサージバンドは、マッサージヘッドと、前記マッサージヘッドのハンドラとを有する、請求項１から３のいずれか１項に記載の頭蓋刺激装置。
【請求項５】
前記マッサージヘッドのそれぞれは、接触部と、前記接触部の支持部とを含み、
前記支持部は、長手方向軸を画定し、前記支持部は、前記長手方向軸周りに前記接触部を回転させるのに適している、請求項４に記載の頭蓋刺激装置。
【請求項６】
前記マッサージブロックは、追加のマッサージヘッドと、前記追加のマッサージヘッドの追加のハンドラとを有する、請求項１から５のいずれか１項に記載の頭蓋刺激装置。
【請求項７】
前記追加のマッサージヘッドのそれぞれは、追加の接触部と、前記追加の接触部の追加の支持部とを含み、前記追加の支持部は、追加の長手方向軸を画定し、前記追加の支持部は、前記追加の長手方向軸周りに前記追加の接触部を回転させるのに適している、請求項６に記載の頭蓋刺激装置。
【発明の詳細な説明】
【技術分野】
【０００１】
本発明は、請求項１の前文に特定されたタイプの頭蓋刺激装置に関する。
【０００２】
人の中枢神経系（ＣＮＳ）のほとんどの細胞は、既知であるように、それらの栄養分の少なくとも一部を脳脊髄液（ＣＳＦ）を介して得ている。実際、人の頭蓋骨の中には、骨に付着している硬膜と呼ばれる膜がある。脳脊髄液は、その硬膜と隣の膜との間にある。
【０００３】
正確にいうと、頭蓋骨の中には、頭蓋骨の骨と脳との間に合計３つの膜層がある。
【０００４】
脳脊髄液は、これらの膜を潤滑化し、拡散と呼ばれるプロセスによって、栄養分を脳の神経組織に輸送する。
【０００５】
脳脊髄液の循環が遮られたり、さもなければ正常に機能しないと、人は疲労感や精神的な集中力の欠如、エネルギーの欠如、抜け毛などの様々な症状を経験することがある。
【０００６】
近年、現代の都市生活に関連する座りがちな生活習慣が増えることよって、正常な脳脊髄液の循環に悪影響を及ぼす可能性が指摘されている。したがって、例えば、コンピュータの画面の前に座って数時間を費やす職業がますます増えていることから、この問題はますます広まってきている。
【０００７】
本文脈において、本発明の根底にある技術的課題は、上述の欠点の少なくとも一部を実質的に回避することが可能な頭蓋刺激装置を考案することである。
【０００８】
本発明の重要な目的は、当該技術的課題の範囲内で、脳脊髄液の循環を改善することができ、これにより疲労感、精神的な集中力の欠如、エネルギーの欠如、抜け毛などの問題を解決するかまたは少なくとも緩和することができる頭蓋刺激装置を得ることにある。
【０００９】
技術的課題および特定の目的は、添付の請求項１に請求されるような頭蓋刺激装置を考案することによって達成される。例示的な好ましい実施形態は、従属請求項に記載される。
【図面の簡単な説明】
【００１０】
本発明の特徴および利点は、添付の図面を参照して、本発明の好ましい実施形態の以下の詳細な説明において明らかになるであろう。
【図１】本発明に係る頭蓋刺激装置の断面図である。
【図２】頭蓋刺激装置の第２の図である。
【図３】頭蓋刺激装置の詳細である。
【発明を実施するための形態】
【００１１】
本明細書において、測定値、値、形状、および幾何学的基準（垂直性や平行性など）は、「約（ａｂｏｕｔ）」などの言葉、もしくは「ほぼ（ａｐｐｒｏｘｉｍａｔｅｌｙ）」または「実質的に（ｓｕｂｓｔａｎｔｉａｌｌｙ）」のような他の類似の用語とともに使用される場合、測定誤差、あるいは作製誤差および／または製造誤差による不正確さを除き、またなによりもそれが関連する値、測定値、形状、または幾何学的基準からのわずかな乖離を除いて理解されるべきである。例えば、これらの用語は、値と関連付けられている場合、好ましくは、当該値からの１０％以下の乖離を示すものとする。
【００１２】
さらに、「第１」、「第２」、「より高い」、「より低い」、「主」、「副」などの用語は、使用される場合、必ずしも順序、優先関係、相対的な位置を確認するものではないが、異なる構成要素を互いにより明確に区別するために簡単に使用することができる。
【００１３】
別段の記載がない限り、本明細書にて提供される測定値及びデータは、国際標準大気ＩＣＡＯ（ＩＳＯ  ２５３３）を用いて検討されるべきである。
【００１４】
別段の特定がない限り、以下の議論から明らかなように、「処理」、「コンピューティング」、「決定」、「計算」、または類似の用語は、コンピュータシステムのレジスタおよび／またはメモリ内の電子量のような物理的な量として表されるデータを、コンピュータシステム、レジスタ、または他の情報記憶装置、伝送装置、または表示装置内の物理的な量として同様に表される他のデータに操作および／または変換する、コンピュータまたは類似の電子コンピューティング装置の動作および／またはプロセスを指すものとして理解されるべきである。
【００１５】
本発明に係る頭蓋刺激装置は、図を参照すると、概して番号１で示される。
【００１６】
頭蓋刺激装置１は、ユーザの頭部に配置するのに適したヘルメット２を備える。
【００１７】
このため、ヘルメット２は、ユーザの頭部の少なくとも一部を包み込み、当該頭部に面した内面２ａ、およびしたがって頭皮を画定するのに適している。
【００１８】
内面２ａは、頭部の少なくとも一部分、特に頭皮に対して実質的に対向する形状となされている。
【００１９】
内面２ａは、頭皮の近くだがそれとは接しないところに配置するのに適している。
【００２０】
頭蓋刺激装置１は、ヘルメット２、より具体的には内面２ａの周囲に沿って延びるマッサージバンド３を備える。
【００２１】
マッサージバンド３は、ヘルメット２に対して外周にマッサージ領域３ａを画定する１つまたは複数のマッサージヘッド３１と、当該ヘッド３１のハンドラ３２とを備える。
【００２２】
各ヘッド３１は、頭皮との接触面（直接的な接触、または、例えば毛髪を介した、間接的な接触）を画定し、当該接触面は、好ましくは球状である。マッサージヘッド３１は、公知のタイプであってもよい。
【００２３】
マッサージヘッド３１（図３）は、接触部３１ａと、接触部３１ａとハンドラ３２との間に位置する支持部３１ｂとを備えてもよい。
【００２４】
支持部３１ｂは、使用時、すなわち装置１およびしたがってヘルメット２が着用されているときに、頭皮に対して実質的に垂直に配置するのに適した長手方向軸３１ｃを画定してもよい。操作中に、支持部３１ｂは、当該長手方向軸３１ｃ周りに接触部３１ａを回転させるのに使用されてもよい。
【００２５】
ハンドラ３２は、頭部３１をヘルメット２に固定するのに適している。
【００２６】
ハンドラ３２は、電動である。
【００２７】
ハンドラ３２は、マッサージヘッド３１を動かして適切な円軌道を完成させるのに適している。より具体的には、ハンドラ３２は、複数のマッサージヘッド３１を同期させてかつ／又は往復させて移動させるのに適している。
【００２８】
マッサージバンド３は、ヘルメット２、より具体的には内面２ａの周囲に平行に延びる少なくとも１列のマッサージヘッド３１を備える。マッサージバンド３は、好ましくは、単一の列のマッサージヘッド３１（図１）または２列の相互に千鳥状に配置されたヘッド３１を備える。
【００２９】
頭蓋刺激装置１は、作用面でヘルメット２に固定された１つまたは複数のマッサージブロック４を備える。
【００３０】
したがって、ブロック４は、マッサージバンド３、およびしたがってマッサージ領域３ａの内側に囲まれている。
【００３１】
装置１は、好ましくは、適切に等間隔で配置されたいくつかのマッサージブロック４を備える。
【００３２】
各マッサージブロック４は、ヘルメット２の内側に追加のマッサージ領域４ａを画定する１つまたは好ましくは複数の追加のマッサージヘッド４１と、当該追加のマッサージヘッド４１の追加のハンドラ４２とを備える。
【００３３】
追加のマッサージ領域４ａは、任意のプロファイルを有していてもよい。追加のマッサージ領域４ａは、好ましくは円形である。
【００３４】
領域３ａ、３、４ａは、好ましくは離間されている。
【００３５】
各追加のマッサージヘッド４１は、頭皮との接触面（直接的な接触、または、例えば毛髪を介した、間接的な接触）を画定し、当該接触面は、好ましくは球状である。追加のマッサージヘッドは、公知のタイプであってもよい。
【００３６】
追加のマッサージヘッド４１（図３）は、追加の接触部４１ａと、好ましくは、追加の接触部４１ａと追加のハンドラ４２との間に位置する追加の支持部４１ｂとを備えてもよい。
【００３７】
追加の支持部４１ｂは、使用時に頭皮に対して実質的に垂直に配置するのに適した追加の長手方向軸４１ｃを画定してもよい。操作中に、追加の支持部４１ｂは、当該追加の長手方向軸４１ｃ周りに追加の接触部４１ａを回転させるのに使用されてもよい。
【００３８】
追加のハンドラ４２は、頭部３１をヘルメット２に固定するのに適している。
【００３９】
追加のハンドラ４２は、電動である。
【００４０】
追加のハンドラ４２は、追加のマッサージヘッド４１を動かして適切な円軌道を完了させるのに適している。より具体的には、追加のハンドラ４２は、これら追加のマッサージヘッドを同期させてかつ／又は往復させて移動させるのに適している。
【００４１】
頭蓋刺激装置１は、マッサージバンド３および１つまたは複数のマッサージブロック４の動きを、それらの相互間距離を変化させることによって制御するのに適した制御ユニット５を備えている。
【００４２】
特に、制御ユニット５は、マッサージ領域３ａと少なくとも１つの追加のマッサージ領域４ａとの間の相互間距離を変化させることによって、マッサージバンド３および１つまたは複数のマッサージブロック４の動きを制御するのに適している。
【００４３】
これに加えて、制御ユニット５は、複数の追加のマッサージ領域４ａ間の相互間距離を変化させることによって、マッサージブロック４の動きを制御するのに使用されてもよい。
【００４４】
頭蓋刺激装置１は、装置自体の電源および／またはユーザが装置を制御するのに適したインタフェース手段を備えてもよい。
【００４５】
電源は、バッテリーおよび／または外部電源ネットワークへのコネクタを備えてもよい。
【００４６】
先に構造的な用語で説明した頭蓋刺激装置１の操作は、以下の通りである。
【００４７】
マッサージ領域を頭皮に接触させて、頭蓋刺激装置１を着用する。
【００４８】
この時点で、ユーザは、インタフェース手段を介して、制御ユニットを制御してマッサージバンド３およびマッサージブロック４を作動させ、特に、マッサージ領域３ａと追加のマッサージ領域４ａとの間の距離、好ましくは、複数の追加のマッサージ領域４ａ間の距離を変化させることによって、それらを移動させる。
【００４９】
本発明に係る頭蓋刺激装置１は、重要な利点を伴う。
【００５０】
実際、頭蓋刺激装置１で頭皮をマッサージすることで、脳脊髄液の循環を再活性化することができる。したがって、疲労感、精神的な集中力の欠如、エネルギーの欠如、抜け毛などの、脳脊髄液の循環不良に起因する症状を少なくとも緩和する。
【００５１】
上述したマッサージ領域３ａおよび４ａの特定の動きによって、頭蓋刺激装置１の効果、およびしたがって脳脊髄液の循環に対するプラスの効果を最大化することができることに留意されたい。
【００５２】
したがって、別の利点は、頭蓋刺激装置１が発毛を刺激するという事実に由来する。
【００５３】
本発明は、特許請求の範囲で定義される本発明の概念の範囲内で変形し得る。本発明の概念の範囲内では、すべての詳細については同等の要素で置き換え可能であり、材料、形状、および寸法は、任意の種類の材料、形状、および寸法であってもよい。
【図１】
2021533894.tif 000003
【図２】
2021533894.tif 000004
【図３】
2021533894.tif 000005
【国際調査報告】
2021533894.tif 000006
2021533894.tif 000007